(57)【要約】【課題】表示装置の側方に物をぴったりとくっ付けて配置できるようにする。【解決手段】支持部３の幅Ｗ１が画像表示部２の幅Ｗ２より小さくなるようにし、該支持部３の側面には入出力端子（不図示）や吸気口４や排気口５を配置した。該支持部３の側方には空きスペースが形成されるため、コードの接続や吸排気が可能となる。そして、表示装置Ｄ１の側方に物Ａをぴったりとくっ付けて配置することができる。【選択図】　　　図３
2004102179.tif 000002
【特許請求の範囲】
【請求項１】
スクリーン部材を有して画像表示を行う画像表示部と、該画像表示部の下方に配置されて該画像表示部を支持する支持部と、を備えた表示装置において、
該支持部の幅寸法は、少なくとも一部分が前記画像表示部の幅寸法より小さくなるように設定され、
前記支持部の側面か正面に吸気口が開口され、前記支持部の側面であって前記吸気口よりも高い位置には排気口が開口されている、
ことを特徴とする表示装置。
【請求項２】
光像を出力する光像出力手段と、該光像出力手段からの光像が投射されるスクリーン部材と、を備え、該スクリーン部材の背面側から投射された光像を該スクリーン部材の正面側から視認する、
ことを特徴とする請求項１に記載の表示装置。
【請求項３】
光透過や通電によって温度が上昇する部品が、前記吸気口と前記排気口との間の空気の通り道に配置された、
ことを特徴とする請求項１又は２に記載の表示装置。
【請求項４】
前記吸気口から風を強制的に取り込むための冷却ファンを備えた、
ことを特徴とする請求項１乃至３のいずれか１項に記載の表示装置。
【請求項５】
前記吸気口と前記排気口との間に空気通路が形成され、
光透過や通電によって温度が上昇する部品が該空気通路内に配置された、
ことを特徴とする請求項１乃至４のいずれか１項に記載の表示装置。
【請求項６】
スクリーン部材を有して画像表示を行う画像表示部と、該画像表示部の下方に配置されて該画像表示部を支持する支持部と、を備えた表示装置において、
該支持部の幅寸法は、少なくとも一部分が前記画像表示部の幅寸法より小さくなるように設定され、
前記支持部の側面に入出力端子部が配置されている、
ことを特徴とする表示装置。
【発明の詳細な説明】
【０００１】
【発明の属する技術分野】
本発明は、画像表示を行う表示装置に係り、詳しくは、その吸気口や排気口や入出力端子部の配置位置等に関する。
【０００２】
【従来の技術】
従来、スクリーンに種々の画像を表示する表示装置としては、種々の構造のものが提案されている。
【０００３】
その一つに、スクリーン部材の背面側から投射された光像を該スクリーン部材の正面側から視認するようにした背面投射型表示装置がある（例えば、特許文献１、特許文献２、特許文献３参照）。
【０００４】
図９は、そのような背面投射型表示装置の構造の一例として特許文献１に開示されたものを示す断面図であるが、該装置の内部には、光像を出射する投写管１００や、その光像を反射させる反射鏡１０１や、該光像が投射されるスクリーン１０２が配置されている。そして、筐体Ｃには吸気口１０４や排気口１０５が形成されて換気が図られ、装置内部の部品（各種光学部品や電装部や液晶ライトバルブ）を冷却するように構成されていた。また、筐体Ｃの側部には、外部との間で信号や電源のやり取りを行う為の入出力端子が配置されていた。
【０００５】
【特許文献１】
特開平７−１１４１０１号公報
【特許文献２】
特開平７−１１３９９９号公報
【特許文献３】
特開平５−１６５０９５号公報
【０００６】
【発明が解決しようとする課題】
しかしながら、筐体Ｃの背面に排気口（図９の符号１０５参照）や入出力端子（不図示）を設けた場合には、排気口１０５からの排気を阻害しないように、或いは入出力端子にコードを接続するためのスペースを確保するように、表示装置を壁１０６から離して配置しなければならず、その分だけスペースが無駄になっていた。
【０００７】
また、排気口１０５や入出力端子を筐体Ｃの側面に設けた場合には、その側方を空けておかなければならず、その分だけスペースが無駄になっていた。
【０００８】
そこで、本発明は、スペースの無駄等を防止する表示装置を提供することを目的とするものである。
【０００９】
【課題を解決するための手段】
請求項１に係る発明は、上記事情を考慮してなされたものであり、スクリーン部材を有して画像表示を行う画像表示部と、該画像表示部の下方に配置されて該画像表示部を支持する支持部と、を備えた表示装置において、
該支持部の幅寸法は、少なくとも一部分が前記画像表示部の幅寸法より小さくなるように設定され、
前記支持部の側面か正面に吸気口が開口され、前記支持部の側面であって前記吸気口よりも高い位置には排気口が開口されている、ことを特徴とする。
【００１０】
また、請求項６に係る発明は、スクリーン部材を有して画像表示を行う画像表示部と、該画像表示部の下方に配置されて該画像表示部を支持する支持部と、を備えた表示装置において、
該支持部の幅寸法は、少なくとも一部分が前記画像表示部の幅寸法より小さくなるように設定され、
前記支持部の側面に入出力端子部が配置されている、ことを特徴とする。
【００１１】
【発明の実施の形態】
以下、図１乃至図５を参照して、本発明の実施の形態について説明する。
【００１２】
本実施の形態に係る表示装置は、スクリーン部材１を有して画像表示を行う画像表示部２と、該画像表示部２の下方に配置されて該画像表示部２を支持する支持部３と、を備えており、該支持部３の幅寸法Ｗ１は、少なくとも一部分が前記画像表示部２の幅寸法Ｗ２より小さくなるように設定されている。
【００１３】
ここで、“支持部３の幅寸法Ｗ１は、少なくとも一部分が前記画像表示部２の幅寸法Ｗ２より小さく”とは、
・　図１に示すように、支持部３の幅寸法Ｗ１が（高さにかかわらず）一定であって、その幅寸法Ｗ１が前記画像表示部２の幅寸法Ｗ２よりも小さい場合のみならず、
・　図２（ａ）（ｂ）に示すように、支持部１３，２３の幅寸法Ｗ１が（その高さに応じて）漸次変化し、少なくとも一部分の幅寸法が前記画像表示部２の幅寸法Ｗ２よりも小さい場合、並びに、
・　図２（ｃ）　に示すように、支持部３３の幅寸法Ｗ１が断続的に変化し、一部分（３３ａ参照）の幅寸法が前記画像表示部２の幅寸法Ｗ２よりも小さい場合、
のいずれの場合も含む。
【００１４】
そして、この表示装置には、前記支持部３，…の側面（正確には、前記画像表示部２の幅寸法Ｗ２より小さい部分の側面）か、或いは該支持部３，…の正面には吸気口が開口され（図１及び図３の符号４は、支持部３の側面に開口された吸気口を示し、図４及び図５の符号１４は、支持部３の正面に開口された吸気口を示す。）、前記支持部３，…の側面（正確には、前記画像表示部２の幅寸法Ｗ２より小さい部分の側面）であって吸気口４又は１４よりも高い位置には排気口（図３及び図５の符号５参照）が開口されている。この表示装置は、光が透過されたり通電されたりすることによって温度が上昇する部品（例えば、光学エンジンや電装部）を有するが、そのような部品（以下“被冷却部品”とする）は、前記吸気口４又は１４と前記排気口５との間の空気の通り道に配置されており（符号６参照）、吸気口４又は１４から装置内部に取り込まれた風が前記被冷却部品６を冷却した後に排気口５から排出されるように構成されている。この場合、冷却ファン７を配置して、そのファン７によって前記吸気口４又は１４から風を強制的に取り込むようにしても良い。なお、
・　筐体Ｃ２に吸気口４，１４や排気口５を形成しただけであって、特別な空気通路を設けなくても、
・　前記吸気口４又は１４と前記排気口５との間に空気通路を形成し、前記被冷却部品６を該通路内に配置するようにしても、
良い。いずれの場合にも、前記被冷却部品６は、前記吸気口４，１４よりも高い位置であって、前記排気口５よりも低い位置に配置すると良い。
【００１５】
ここで、本発明が適用される表示装置としてはいわゆる背面投射型表示装置を挙げることができる。この背面投射型表示装置は、光像を出力する光像出力手段と、該光像出力手段からの光像が投射されるスクリーン部材１と、を備えており、該スクリーン部材１の背面側から投射された光像を該スクリーン部材１の正面側から視認するように構成されている。該表示装置の場合、投射される光強度が強いため、装置内部の温度も上昇し易いが、本発明を適用することによって効率的に冷却することができる。
【００１６】
前記背面投射型表示装置において、前記スクリーン部材１は上筐体Ｃ１に配置し、前記光像出力手段や光学エンジン部や電装部は下筐体Ｃ２に配置すると良い。そして、上述した吸気口４，１４や排気口５は下筐体Ｃ２の側に形成すると良い。
【００１７】
なお、前記支持部３，…の側面（正確には、前記画像表示部２の幅寸法Ｗ２より小さい部分の側面）に入出力端子部９を配置した場合には、表示装置Ｄ１，Ｄ２の隣に他の物（例えば、本棚）Ａを配置したとしても、該物Ａは入出力端子部９に近接配置されないので、コード接続のためのスペーサは確保される。
【００１８】
次に、本実施の形態の効果について説明する。
【００１９】
本実施の形態によれば、吸気口４，１４から取り込まれて排気口５から排出される空気によって装置内部（具体的には、光学エンジンや電装部等の被冷却部品）を冷却することができる。
【００２０】
また、本実施の形態によれば、吸気口や排気口は装置の背面には配置されていないため、表示装置を壁にぴったりとくっ付けて配置することができる。その結果、表示装置と壁との間に吸排気のための無駄なスペースを確保する必要がなく、スペースの有効利用を図ることができる。
【００２１】
さらに、支持部３の幅寸法Ｗ１は、少なくとも一部分が前記画像表示部２の幅寸法Ｗ２より小さくなるように設定されると共に、該部分（つまり、前記画像表示部２の幅寸法Ｗ２より小さい部分）の側面に吸気口（図３の符号４参照）や排気口（図３や図５の符号５参照）が開口されている。したがって、図３や図５に示すように、表示装置Ｄ１，Ｄ２の隣に他の物（例えば、本棚）Ａを配置したとしても吸気口４や排気口５が閉塞されることは無い。図４や図５に符号１４で示すように、該支持部３，…の正面に吸気口を開口させた場合も同様の効果が得られる。換言すれば、表示装置Ｄ１，Ｄ２の側方に、無駄なスペースを設けずに他の物Ａを配置することができる。
【００２２】
さらに、本実施の形態によれば、排気口５は吸気口４，１４よりも高い位置に配置されているため、光学エンジンや電装部を冷却した結果暖められた空気は上昇してスムーズに排気口５から排気される。したがって、該暖められた空気が装置内部に篭ることが少なく、冷却性能が向上される。
【００２３】
またさらに、冷却ファン７を配置して、そのファン７によって前記吸気口４又は１４から風を強制的に取り込むようにした場合には、風の量を多くして冷却性能をさらに向上させることができる。
【００２４】
また、前記吸気口４又は１４と前記排気口５との間に空気通路を形成し、上述した被冷却部品６を該通路内に配置した場合には、光学エンジンや電装部に　必ず導かれて、その冷却に供され、その結果、冷却性能を向上させることができる。
【００２５】
【実施例】
以下、実施例に沿って本発明を更に詳細に説明する。
【００２６】
（実施例１）
本実施例では、図１及び図３に示す構造の背面投射型表示装置を作製した。すなわち、画像表示部２にはスクリーン１を配置し、支持部３は、略直方体状としてその幅Ｗ１（一定）は画像表示部２の幅寸法Ｗ２よりも小さく設定した。そして、支持部３の方の下筐体Ｃ２には、一方の側面に入出力端子部９や吸気口４を形成し（図６参照）、他方の側面には排気口５を形成した（図７参照）。ここで、図６は、図１のＥ矢視図であり、図７は、図１のＦ矢視図である。さらに、吸気口４と排気口５とは空気通路８にて連通し、該通路内には光学エンジンや電装部（符号６参照）や冷却ファン７を配置した。なお、吸気口４を配置する位置は電装部６を配置する位置よりも低くした。また、光像を出力する光像出力手段（不図示）を配置して、スクリーン１の背面側から投射された光像を該スクリーン１の正面側から視認するように構成した。
【００２７】
本実施例によれば、吸気口４から取り込まれた風によって光学エンジン部や電装部を冷却することができた。
【００２８】
また、本実施例によれば、吸気口や排気口は装置の背面には配置されていないため、表示装置背面を壁にぴったりとくっ付けて配置することができ、スペースの有効利用を図ることができた。
【００２９】
さらに、本実施例によれば、支持部３の幅寸法Ｗ１を画像表示部２の幅寸法Ｗ２よりも小さく設定すると共に、吸気口や排気口をその支持部３の側面に形成している。したがって、図３に示すように、表示装置Ｄ１の隣に他の物（例えば、本棚）Ａを配置したとしても吸気口４や排気口５が閉塞されることは無い。
【００３０】
また、本実施例では、吸気口４を排気口５より下側に設けたので、自然対流国かにより、吸気した外気を効率よく排気することができる。
【００３１】
（実施例２）
本実施例では、図４及び図５に示す構造の背面投射型表示装置を作製した。すなわち、実施例１では吸気口４は支持部３の側面に開口させたが、本実施例では吸気口は支持部３の正面に開口させた（符号１４参照）。そして、その開口部１４をかなり大きくして、ビデオデッキ等（図８の符号１５参照）を収納できるようにもした。その他の構成は実施例１と同じにした。
【００３２】
本実施例によれば、吸気口１４を支持部３の正面に開口させているため、入出力端子部を支持部の側面に配置することができる。したがって、支持部背面にコード接続のためのスペースを確保しておく必要がなく、スペースの有効利用が図れた。
【００３３】
また、本実施例によれば、実施例１と同様の効果が得られた。すなわち、吸気口１４から取り込まれた風によって光学エンジン部や電装部を冷却することができた。また、表示装置背面を壁にぴったりとくっ付けて配置することができ、スペースの有効利用を図ることができた。さらに、表示装置の隣に他の物（例えば、本棚）を配置したとしても吸気口１４や排気口５が閉塞されることは無い。
【００３４】
なお、本実施例では、支持部３の左右両方が画像表示部２よりも引っ込んでいるが、排気口５が形成された側だけが画像表示部２よりも引っ込んでいるようにしてもよい。
【００３５】
【発明の効果】
以上説明したように、本発明によると、吸気口から取り込まれて排気口から排出される空気によって装置内部（具体的には、光学エンジンや電装部等の被冷却部品）を冷却することができる。
【００３６】
また、本発明によれば、吸気口や排気口は装置の背面には配置されていないため、表示装置を壁にぴったりとくっ付けて配置することができる。その結果、表示装置と壁との間に吸排気のための無駄なスペースを確保する必要がなく、スペースの有効利用を図ることができる。
【００３７】
さらに、支持部の幅寸法は、少なくとも一部分が前記画像表示部の幅寸法より小さくなるように設定されると共に、該部分（つまり、前記画像表示部の幅寸法より小さい部分）の側面に吸気口や排気口が開口されている。したがって、表示装置の隣に他の物（例えば、本棚）を配置したとしても吸気口や排気口が閉塞されることは無い。該支持部の正面に吸気口を開口させた場合も同様の効果が得られる。換言すれば、表示装置の側方に、無駄なスペースを設けずに他の物を配置することができる。
【００３８】
さらに、冷却ファンを配置して、そのファンによって前記吸気口から風を強制的に取り込むようにした場合には、風の量を多くして冷却性能をさらに向上させることができる。
【００３９】
また、前記吸気口と前記排気口との間に空気通路を形成し、上述した被冷却部品を該通路内に配置した場合には、光学エンジンや電装部に　必ず導かれて、その冷却に供され、その結果、冷却性能を向上させることができる。
【図面の簡単な説明】
【図１】本発明に係る表示装置の外観の一例を示す斜視図。
【図２】本発明に係る表示装置の構造を示す正面図。
【図３】本発明に係る表示装置の構造の一例を示す正面図。
【図４】本発明に係る表示装置の外観の一例を示す斜視図。
【図５】本発明に係る表示装置の構造の一例を示す正面図。
【図６】図１のＥ矢視図。
【図７】図１のＦ矢視図。
【図８】本発明に係る表示装置の構造の一例を示す正面図。
【図９】従来の背面投射型表示装置の構造の一例を示す断面図。
【符号の説明】
１　　　　スクリーン（スクリーン部材）
２　　　　画像表示部
３　　　　支持部
４　　　　吸気口
５　　　　排気口
７　　　　冷却ファン
８　　　　空気通路
１４　　　吸気口
Ｄ１　　　表示装置
Ｄ２　　　表示装置
Ｗ１　　　支持部の幅寸法
Ｗ２　　　画像表示部の幅寸法
【図１】
2004102179.tif 000003
【図２】
2004102179.tif 000004
【図３】
2004102179.tif 000005
【図４】
2004102179.tif 000006
【図５】
2004102179.tif 000007
【図６】
2004102179.tif 000008
【図７】
2004102179.tif 000009
【図８】
2004102179.tif 000010
【図９】
2004102179.tif 000011